(57)【特許請求の範囲】
【請求項１】
リチウムイオン二次電池から負荷に電力供給するリチウムイオン二次電池システムであって、
前記リチウムイオン二次電池を充電する外部電源と、
前記リチウムイオン二次電池から前記負荷に連続的に電力供給する連続放電モード、及び、前記リチウムイオン二次電池から前記負荷にパルス的に電力供給し、かつ、前記負荷に電力供給されていないパルス放電ローレベル期間のときに前記外部電源から前記リチウムイオン二次電池にパルス的に充電するパルス充放電モードの出力モード切り替えを行う制御手段と、を備え、
前記制御手段は、
前記リチウムイオン二次電池の電圧が、所定の切替上限電圧より低い場合には、前記出力モードを前記パルス充放電モードに設定し、
前記パルス充放電モードでは、前記パルス放電ローレベル期間の少なくとも１つの期間内で、前記外部電源から前記リチウムイオン二次電池に充電が行われる、
ことを特徴とするリチウムイオン二次電池システム。
【請求項２】
請求項１に記載のリチウムイオン二次電池システムであって、
前記電圧が前記切替上限電圧より高い場合、及び、所定の切替下限電圧より低い場合には、前記出力モードを前記連続放電モードに設定する、
前記パルス充放電モードでは、前記パルス放電ローレベル期間の少なくとも１つの期間内で、前記外部電源から前記リチウムイオン二次電池に充電が行われる、
ことを特徴とするリチウムイオン二次電池システム。
【請求項３】
請求項１または２に記載のリチウムイオン二次電池システムであって、
前記パルス放電ローレベル期間で行われる前記外部電源から前記リチウムイオン二次電池システムへの充電時間は、前記パルス放電ローレベル期間より短い、
ことを特徴とするリチウムイオン二次電池システム。
【請求項４】
請求項１乃至３のいずれか１項に記載のリチウムイオン二次電池システムであって、
前記パルス充放電モードにおける１サイクルにわたるパルス放電電流の平均値と前記連続放電モードにおける連続放電電流とが、同じ値になるように、前記平均値を設定した、
ことを特徴とするリチウムイオン二次電池システム。
【請求項５】
請求項１乃至４のいずれか１項に記載のリチウムイオン二次電池システムであって、
前記切替上限電圧は、前記リチウムイオン二次電池から電力を取り出す際の最大の電圧である基準電圧の０．９０〜０．９８倍の値に設定されている、
ことを特徴とするリチウムイオン二次電池システム。
【請求項６】
請求項１乃至４のいずれか１項に記載のリチウムイオン二次電池システムであって、
前記切替上限電圧は、放電容量に対する前記リチウムイオン二次電池の電圧の変化率ｍが、−０．１≦ｍ≦−０．０２の範囲になるときの前記リチウムイオン二次電池の電圧に設定した、
ことを特徴とするリチウムイオン二次電池システム。
【請求項７】
請求項２に記載のリチウムイオン二次電池システムであって、
前記切替下限電圧は、前記リチウムイオン二次電池の放電終止電圧とパルス放電を行った際の降下電圧との和の値に設定した、
ことを特徴とするリチウムイオン二次電池システム。
【請求項８】
リチウムイオン二次電池から負荷に電力供給するリチウムイオン二次電池システムの運転方法であって、
前記リチウムイオン二次電池の電圧を検出し、
出力モードの切替を行う際の判断基準をなす切替上限電圧を取得し、
前記リチウムイオン二次電池の電圧が切替上限電圧より低いか否かを判断し、
前記リチウムイオン二次電池の電圧が切替上限電圧より低い場合に、前記リチウムイオン二次電池から前記負荷に連続的に電力供給する連続放電モードから、前記リチウムイオン二次電池から前記負荷にパルス的に電力供給し、かつ、前記負荷に電力供給されていないパルス放電ローレベル期間のときに前記リチウムイオン二次電池を充電する外部電源から前記リチウムイオン二次電池にパルス的に充電するパルス充放電モードに出力モード切替を行い、
前記パルス充放電モードでは、前記パルス放電ローレベル期間の少なくとも１つの期間内で、前記外部電源から前記リチウムイオン二次電池に充電が行われる、
ことを特徴とするリチウムイオン二次電池システムの運転方法。
【請求項９】
請求項８に記載のリチウムイオン二次電池システムの運転方法であって、
前記運転方法は、さらに、
出力モードの切替を行う際の判断基準をなす切替下限電圧を取得し、
前記リチウムイオン二次電池の電圧が前記切替上限電圧より高い場合、及び、前記切替下限電圧より低い場合には、前記出力モードを前記連続放電モードに設定する
ことを特徴とするリチウムイオン二次電池システムの運転方法。
【発明の詳細な説明】
【技術分野】
【０００１】
本発明は、リチウムイオン二次電池システム、及び、リチウム二次電池システムの運転方法に関する。
【背景技術】
【０００２】
リチウムイオン二次電池では、その公称容量に対する電流が大きくなるにつれて、放電可能な実効容量が少なくなるという問題点があった（特許文献１を参照）。【０００３】
これは大電流で連続放電を長時間行うと、リチウムイオン二次電池におけるリチウムイオン分布が不均一になり、この結果リチウムイオンの拡散抵抗が増大して、上限電圧（開回路電圧）又は下限電圧（放電終止電圧）を超えてしまうことが原因と考えられる。【０００４】
かかる問題に対して、特許文献２では、リチウムイオン分布を均一化する提案がなされている。この提案では、リチウムイオン二次電池の放電又は充電を間欠的に行う技術である。【０００５】
また、特許文献３では、リチウムイオン二次電池の内部抵抗が所定値以上になると、パルス充放電を行って内部抵抗を低下させる技術が公開されている。
【先行技術文献】
【特許文献】
【０００６】
【特許文献１】特開２００２−２６０６７３号公報
【特許文献２】特開２００４−１７１８６４号公報
【特許文献３】特開２０１１−１５１９４３号公報
【発明の概要】
【発明が解決しようとする課題】
【０００７】
しかしながら、特許文献２にかかる技術でも放電可能な実効容量を十分に改善することができない問題があった。例えば、公称容量２Ａｈのリチウムイオン電池を２０Ｃの間欠的放電を行ったときでも実効容量は０．９８Ａｈであり、公称容量２Ａｈの半分以下までしか利用することができない。なお、「１Ｃ」は、電池を１００％の充電量から０％までに、１時間で流すことができる電流を言う。例えば、０．９８Ａｈの電池で２０Ｃであれば、０．９８＊２０＝１９．６Ａの電流を意味する。【０００８】
また、特許文献２にかかる技術では、パルス充放電を切り替ええるため手段として、半導体スイッチ等の切り替え手段を設ける場合があるが、充放電全期間にわたりパルス制御を行うと、切り替え手段で生じるスイッチング損失が増大し、電力効率の低下を招く問題がある。【０００９】
そこで、本発明の主目的は、高電力効率で、かつ、大きな実効容量が得られリチウムイオン二次電池システム及びリチウム二次電池システムの運転方法を提供することである。
【課題を解決するための手段】
【００１０】
上記課題を解決するため、リチウムイオン二次電池から負荷に電力供給するリチウムイオン二次電池システムにかかる発明は、リチウムイオン二次電池を充電する外部電源と、リチウムイオン二次電池から負荷に連続的に電力供給する連続放電モード、及び、リチウムイオン二次電池から負荷にパルス的に電力供給し、かつ、負荷に電力供給されていないパルス放電ローレベル期間のときに外部電源からリチウムイオン二次電池にパルス的に充電するパルス充放電モードの出力モード切り替えを行う制御部と、を備え、制御部は、リチウムイオン二次電池の電圧が、所定の切替上限電圧より低い場合には、出力モードをパルス充放電モードに設定する、ことを特徴とする。【００１１】
また、リチウムイオン二次電池から負荷に電力供給するリチウムイオン二次電池システムの運転方法にかかる発明は、リチウムイオン二次電池の電圧を検出するステップと、出力モードの切替を行う際の判断基準をなす切替上限電圧を取得するステップと、リチウムイオン二次電池の電圧が切替上限電圧より低いか否かを判断するステップと、リチウムイオン二次電池の電圧が切替上限電圧より低い場合に、リチウムイオン二次電池から負荷に連続的に電力供給する連続放電モードから、リチウムイオン二次電池から負荷にパルス的に電力供給し、かつ、負荷に電力供給されていないパルス放電ローレベル期間のときに外部電源からリチウムイオン二次電池にパルス的に充電するパルス充放電モードに出力モード切替を行うステップと、を含む、ことを特徴とする。
【発明の効果】
【００１２】
本発明によれば、所定の条件でパルス充放電モードに切り替えるので、電力損失を抑制しながら放電容量を改善させることができるようになる。
【図面の簡単な説明】
【００１３】
【図１】第１実施形態にかかるリチウムイオン二次電池システムのブロック図である。
【図２】負荷への放電電流波形及び電池への充電電流波形を例示した図である。
【図３】出力モードの違いによる放電容量のシミュレーション結果を示す図である。
【図４】電池の開放電圧又は閉回路電圧、基準電圧、切替上限電圧、切替下限電圧、放電終止電圧を放電容量に対して例示した図である。
【図５】許容値を変えて放電容量をシミュレーションしたときの結果を示す図である。
【図６】モード制御手順を示したフローチャートである。
【図７】パルス充電を行うタイミングを、パルス放電ローレベル期間の期間全域ではなく、一部の期間の間だけ行う場合の負荷への放電電流波形及び電池への充電電流波形を例示した図である。
【図８】パルス充電を行うタイミングを、複数のパルス放電ローレベル期間の内の少なくとも１つのパルス放電ローレベル期間で行う場合の負荷への放電電流波形及び電池への充電電流波形を例示した図である。
【図９】連続放電時の放電容量特性の傾きから切替上限電圧を決定する方法を説明する図である。
【発明を実施するための形態】
【００１４】
本発明の実施形態を説明する。
＜第１実施形態＞
図１は、本実施形態にかかるリチウムイオン二次電池システム２のブロック図である。リチウムイオン二次電池システム２は、リチウムイオン二次電池（以下、電池と略記する）１０、制御部１１、電流検出部１３、電圧検出部１２、入力端子Ｔｉｎ、出力端子Ｔｏｕｔを含む。
【００１５】
入力端子Ｔｉｎには充電機能を備える外部電源４が接続され、出力端子Ｔｏｕｔには負荷６が接続される。なお、図１においては、これら外部電源４及び負荷６も併せて図示している。
【００１６】
負荷６は、ヒーター、コンプレッサー、モーター、冷却器、その他電流を多く使用する機器等が考えられる。
【００１７】
電流検出部１３は電池１０の放電電流や充電電流を検出し、電圧検出部１２は電池１０の電圧を検出する。
【００１８】
電池１０から負荷６に電力供給する際の出力モードには、連続的に放電するモード（連続放電モード）と、パルス的に放電するモード（パルスモード）がある。また、パルスモードには、パルスがローレベルの時に外部電源４により電池１０を充電するモード（パルス充放電モード）と、充電しないモード（パルス放電モード）とがある。なお、パルスがローレベルの時とは、図２のＴＯＦＦの期間であり、この期間をパルス放電ローレベル期間と記載する。
【００１９】
図２は、負荷６への放電電流波形及び電池１０への充電電流波形を例示した図である。図２において、ＩＤ＿１は連続放電モードにおいて負荷６に供給される平均放電電流であり、ＩＤ＿２はパルス充放電モードにおいて負荷６に供給されるパルス電流のピーク値である。また、ＩＣは、パルス充放電モードにおいて電池１０に供給されるパルス電流のピーク値である。以下、ＩＤ＿１を連続放電電流、ＩＤ＿２をパルス放電電流、ＩＣをパルス充電電流と記載する。
【００２０】
パルスがハイレベルの期間をＴＯＮ、ローレベルの期間（パルス放電ローレベル期間）をＴＯＦＦとすると、パルス放電電流ＩＤ＿２は、連続放電電流ＩＤ＿１を用いて、
ＩＤ＿２＝ＩＤ＿１＊（ＴＯＮ＋ＴＯＦＦ）／ＴＯＮ  …  （１）
の式１を満たすように設定する。式１は、パルス放電の１サイクルの時間で、パルス放電により負荷６に供給される電力（ＩＤ＿２＊ＴＯＮ）と、連続放電により負荷６に供給される電力（ＩＤ＿１＊（ＴＯＮ＋ＴＯＦＦ））とを等しくすることを意味している。
【００２１】
パルス充放電モードは、電池１０の電圧ＶＢが切替上限電圧ＶＵと切替下限電圧ＶＬとの間の値であるときに行われる。図２において、電池１０の電圧ＶＢは時刻ｔ＝ｔ１で切替上限電圧ＶＵより低くなるので、出力モードは、連続放電モードからパルス充放電モードに切り替えられる。また、時刻ｔ＝ｔ２で電圧ＶＢは切替下限電圧ＶＬより低くなるので、パルス充放電モードから連続放電モードに切り替えられている。なお、時刻ｔ＝ｔ３は、電圧ＶＢが、放電終止電圧ＶＴに達した放電終了時刻を示している。
【００２２】
図３は、出力モード（連続放電モード、パルス放電モード、パルス充放電モード）の違いによる放電容量をシミュレーションした結果で、横軸は放電容量、縦軸は電池の閉回路電圧である。
【００２３】
シミュレーション条件は、容量３２．５Ａｈの電池１０に対して放電終止電圧を３．０Ｖに設定したときの、６．２５Ｃで連続放電した際の放電容量（曲線Ｃ＿１０）、パルス放電した際の放電容量（曲線（Ｃ＿１１）、パルス充放電した際の放電容量（曲線Ｃ＿１２）を示している。
【００２４】
このシミュレーション結果では、連続放電モードでの放電容量は１２．９４Ａｈ、パルス放電モードでの放電容量は２２．７３Ａｈ、パルス充放電モードでの放電容量は２５．００Ａｈであった。即ち、連続放電モードからパルス放電モードにモード変更したことにより、９．７９Ａｈ（＝２２．７３−１２．９４）の放電容量が改善され、連続放電モードからパルス充放電モードにモード変更したことにより、１２．０６Ａｈ（＝２５．００−１２．９４）の放電容量が改善されている。また、モード変更先をパルス充放電モードにすることにより、パルス放電モードにした場合に比べ、放電容量は１．２３倍改善されている。以上から、連続放電モードからパルス充放電モードにモード変更することで、放電容量を大幅に改善できることが確認できた。
【００２５】
このようなパルス充放電モードにモード変更する際には、モード変更するタイミングがスイッチング損失の抑制（電力効率の改善）の観点から重要となる。本実施形態では、上述したように、切替上限電圧ＶＵと切替下限電圧ＶＬを設定して、電池１０の電圧が範囲内の時にパルス充放電モードにし、それ以外の時は連続放電モードとする。
【００２６】
このため切替上限電圧ＶＵを算出する必要があり、図４を参照して、この算出方法を説明する。図４は、電池の開放電圧ＶＯ又は閉回路電圧ＶＣ、基準電圧ＶＲ、切替上限電圧ＶＵ、切替下限電圧ＶＬ、放電終止電圧ＶＴを放電容量に対して例示した図である。図４の斜線領域は、切替下限電圧ＶＬ≦ＶＢ≦切替上限電圧ＶＵが満たされる範囲を示している。即ち、電池１０の電圧ＶＢがこの範囲のときにパルス充放電モードが行われる。
【００２７】
切替上限電圧ＶＵを、
ＶＵ＝ＶＲ＊α  …  （２）
の式２で定義する。
ＶＲは、Ｔｏｕｔ端子間を流れる出力電流をＩとして、
ＶＲ＝Ｖｘ−（Ｉ−Ｉｘ）＊ＲＯ  …  （３）
で定義される基準電圧である。この基準電圧は、電池１０の起電力から内部抵抗による電圧降下分を差し引いた電圧で、電池１０の端子電圧に相当する。
【００２８】
ここで、Ｖｘは、電池１０の開放電圧ＶＯ、又は、ローレート（１Ｃ以下）放電時の電池１０の閉回路電圧ＶＣとする。Ｖｘ＝ＶＯとした場合、Ｉｘは、ＶＯ検出時の電流ＩＯであり、ＲＯはＶＯ検出時の電池１０の内部抵抗である。なお、ＶＯは開放電圧であるので、この場合はＩＯ＝０となる。一方、Ｖｘ＝ＶＣとした場合、ＩｘはＶＣ検出時の電流ＩＣである。
【００２９】
また、αは、基準電圧ＶＲからどの程度の電圧のずれを許容するか示す許容値（比率）で、以下に説明するシミュレーション結果からα≧０．９が望ましい。
【００３０】
図５は、許容値αを変えて放電容量をシミュレーションしたときの結果を示す図である。曲線Ｃ＿１は放電容量３２．４１Ａｈで０．３Ｃ時の閉回路電圧ＶＣ、曲線Ｃ＿２は放電容量３２．３０Ａｈで３Ｃ時の基準電圧ＶＲの特性曲線である。また、曲線Ｃ＿３〜曲線Ｃ＿５は、それぞれ放電容量３１．９１Ａｈで許容値α＝０．９７８２、放電容量３１．８６Ａｈで許容値α＝０．９６１６、放電容量３１．８８Ａｈで許容値α＝０．９１７６として、３Ｃパルス放電を行った場合の放電容量特性である。さらに、曲線Ｃ＿６は２、放電容量５．９１Ａｈで３Ｃ連続放電時の放電容量特性である。
【００３１】
図５に示すように、許容値αを０．９０００より大きな値に設定して、パルス充放電モードに変更したときの曲線Ｃ＿３〜Ｃ＿５の放電容量は、曲線Ｃ＿１の放電容量に対して２％以内に収まることがわかる。一方、図示しないが、許容値αを０．９０００より小さな値に設定すると、許容値αの減少に伴い放電容量が低下した。依って、許容値αは、０．９０００より大きな値にすることが、放電容量の改善に好ましい。特に、パルス充放電モードを行うためのスイッチング手段として、半導体スイッチを用いた場合には、この半導体スイッチでの電力損失を可能な限り少なくするために、許容値αをα≒０．９０００に設定することがよい。
【００３２】
次に、切替下限電圧ＶＬの算出方法について説明する。切替下限電圧ＶＬは、電池１０の放電終止電圧ＶＴにパルス放電による降下電圧ΔＶを加えた値として、
ＶＬ＝ＶＴ＋ΔＶ  …  （４）
の式４で定義する。このとき、降下電圧ΔＶは、
ΔＶ＝（ＩＤ＿２−ＩＤ＿１）＊ＲＯ＊β  …  （５）
で定義する。但し、βは比例係数で、β＝１．０〜１．２が望ましい。
【００３３】
パルス放電の電流を制御して１サイクルにわたるパルス放電電流の平均値（平均電流）を連続放電電流と一致させた場合（式１の関係を満足させた場合）、パルス放電モードにおけるピーク値は連続放電電流に比べて高くなる（ＩＤ＿２＞ＩＤ＿１）。オームの法則から電流が大きいことは、電圧が降下することを意味する。従って、式１が満足するように連続放電電流ＩＤ＿１とパルス放電電流ＩＤ＿２とを設定すると、高い放電容量で放電終止電圧をたたくことが起きる。そこで、電池１０の電圧ＶＢが切替下限電圧ＶＬより低くなると（ＶＢ＜ＶＬ）、制御部１１はパルス充放電モードから連続放電モードに切り替えてピーク電流を抑えて放電終止電圧に達するのを抑制し、これにより放電容量を増加させる。
【００３４】
このように制御部１１におけるモード制御手順を図６に示し説明する。図６は、モード制御手順を示したフローチャートである。
【００３５】
ステップＳ１，Ｓ２：  先ず、制御部１１は、電圧検出部１２から電池１０の電圧ＶＢを取得する。そして、電圧ＶＢが放電終止電圧ＶＴより大きいか否かを判断する。電圧ＶＢが放電終止電圧ＶＴ以下である場合（ＶＢ≦ＶＴ）は、電池１０に利用可能な容量がないことを意味するので、処理は異常終了する。無論、このとき制御部１１は、容量が不足している旨のメッセージを出力することも可能である。
【００３６】
ステップＳ３，Ｓ４：  電池１０の放電容量が十分である場合（ＶＢ＞ＶＴ）は、制御部１１は、連続放電モードで放電を行い、そのときの電流Ｉを電流検出部１３から取得する。
【００３７】
ステップＳ５：  次に、切替上限電圧値ＶＵ、切替下限電圧値ＶＬを算出する。なお、本実施形態では、これら切替上限電圧値ＶＵ、切替下限電圧値ＶＬは、処理が開始した際に算出されるものとして説明するが、予め算出し、メモリ等に記憶しておくことも可能である。切替上限電圧値ＶＵ、及び、切替下限電圧値ＶＬの算出方法については、後述する。
【００３８】
ステップＳ６，Ｓ７：  制御部１１は、出力モードを連続放電モードに設定して、放電を開始する。また、この放電開始と同時に、現在の電池１０の電圧ＶＢを取得する。
【００３９】
ステップＳ８：  その後、制御部１１は、取得された電圧ＶＢが、切替上限電圧値ＶＵと切替下限電圧値ＶＬとの間にあるか否かを判断する。
【００４０】
ステップＳ９：  電圧ＶＢが、切替上限電圧値ＶＵと切替下限電圧値ＶＬとの間にある場合（ＶＬ＜ＶＢ＜ＶＵ）は、出力モードをパルス充放電モードに変更して、ステップＳ７に戻る。
【００４１】
ステップＳ１０：  一方、電圧ＶＢが、切替上限電圧値ＶＵと切替下限電圧値ＶＬとの間にない場合（ＶＢ＜ＶＬ、ＶＢ＞ＶＵ）は、電圧ＶＢが、予め設定されている放電終止電圧ＶＴより大きいか否かを判断する。このとき、電圧ＶＢが放電終止電圧ＶＴより大きい場合（ＶＢ＞ＶＴ）、ステップＳ６に戻り、連続放電モードに設定する。一方、電圧ＶＢが放電終止電圧ＶＴ以下である場合（ＶＢ≦ＶＴ）は放電終了となる。
【００４２】
以上説明したように、所定の条件でパルス充放電モードに切り替えるので、電力損失が抑制しながら放電容量を改善させることができるようになる。
＜第２実施形態＞
次に、第２実施形態を説明する。なお、上述した第１実施形態と同一構成に関しては、同一符号を用いて説明を適宜省略する。
【００４３】
第１実施形態におけるパルス充放電モードでは、図２に示したように、全てのパルス放電ローレベル期間では、外部電源４からのパルス充電を行った。しかし、本発明はこれに限定するものではなく、例えば図７や図８に示すようなパルス充電も可能である。
【００４４】
即ち、図７に示す方法では、パルス放電ローレベル期間Ｔ０の期間全域ではなく、一部の期間Ｔ１の間だけパルス充電を行っている（Ｔ０＞Ｔ１）。
【００４５】
また、図８に示す方法では、複数のパルス放電ローレベル期間の内の少なくとも１つのパルス放電ローレベル期間でパルス充電を行っている。
【００４６】
いずれの方法を用いるかは、外部電源４の容量や望む放電電流等に応じて適宜設定すればよい。
【００４７】
また、第１実施形態においては、切替上限電圧ＶＵは式２により算出した。しかし、本発明はこの方法に限定するものではない。例えば、図９に示すように連続放電時の放電容量特性の傾きが、所定値に達したときの値として設定してもよい。
【００４８】
この傾きｍとして、リチウムイオンの不均一による拡散抵抗が生じない範囲とし、−０．１≦ｍ≦−０．０２  が例示できる。例えば、傾きｍをｍ＝−０．０２に設定した場合、この傾きに一致したときに連続放電モードからパルス充放電モードに切り替え、切替下限電圧ＶＬに達すると、パルス充放電モードから連続放電モードに切り替える。これにより、第１実施形態と同様の作用効果を得ることが可能になる。
【００４９】
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。
この出願は、２０１４年４月２４日に出願された日本出願特願２０１４−０８９７０４を基礎とする優先権を主張し、その開示の全てをここに取り込む。
上記の実施形態の一部または全部は、以下の付記のようにも記載されうるが、以下には限られない。
（付記１）
リチウムイオン二次電池から負荷に電力供給するリチウムイオン二次電池システムであって、
前記リチウムイオン二次電池を充電する外部電源と、
前記リチウムイオン二次電池から前記負荷に連続的に電力供給する連続放電モード、及び、前記リチウムイオン二次電池から前記負荷にパルス的に電力供給し、かつ、前記負荷に電力供給されていないパルス放電ローレベル期間のときに前記外部電源から前記リチウムイオン二次電池にパルス的に充電するパルス充放電モードの出力モード切り替えを行う制御手段と、を備え、
前記制御手段は、
前記リチウムイオン二次電池の電圧が、所定の切替上限電圧より低い場合には、前記出力モードを前記パルス充放電モードに設定する、
ことを特徴とするリチウムイオン二次電池システム。
（付記２）
付記１に記載のリチウムイオン二次電池システムであって、
前記電圧が前記切替上限電圧より高い場合、及び、所定の切替下限電圧より低い場合には、前記出力モードを前記連続放電モードに設定する、
ことを特徴とするリチウムイオン二次電池システム。
（付記３）
付記１又は２に記載のリチウムイオン二次電池システムであって、
前記パルス充放電モードでは、前記パルス放電ローレベル期間の少なくとも１つの期間内で、前記外部電源から前記リチウムイオン二次電池に充電が行われる、
ことを特徴とするリチウムイオン二次電池システム。
（付記４）
付記１乃至３のいずれか１項に記載のリチウムイオン二次電池システムであって、
前記パルス放電ローレベル期間で行われる前記外部電源から前記リチウムイオン二次電池システムへの充電時間は、前記パルス放電ローレベル期間より短い、
ことを特徴とするリチウムイオン二次電池システム。
（付記５）
付記１乃至４のいずれか１項に記載のリチウムイオン二次電池システムであって、
前記パルス充放電モードにおける１サイクルにわたるパルス放電電流の平均値と前記連続放電モードにおける連続放電電流とが、同じ値になるように、前記平均値を設定した、
ことを特徴とするリチウムイオン二次電池システム。
（付記６）
付記１乃至５のいずれか１項に記載のリチウムイオン二次電池システムであって、
前記切替上限電圧は、前記リチウムイオン二次電池から電力を取り出す際の最大の電圧である基準電圧の０．９０〜０．９８倍の値に設定されている、
ことを特徴とするリチウムイオン二次電池システム。
（付記７）
付記１乃至５のいずれか１項に記載のリチウムイオン二次電池システムであって、
前記切替上限電圧は、放電容量に対する前記リチウムイオン二次電池の電圧の変化率ｍが、−０．１≦ｍ≦−０．０２の範囲になるときの前記リチウムイオン二次電池の電圧に設定した、
ことを特徴とするリチウムイオン二次電池システム。
（付記８）
付記２乃至７のいずれか１項に記載のリチウムイオン二次電池システムであって、
前記切替下限電圧は、前記リチウムイオン二次電池の放電終止電圧とパルス放電を行った際の降下電圧との和の値に設定した、
ことを特徴とするリチウムイオン二次電池システム。
（付記９）
リチウムイオン二次電池から負荷に電力供給するリチウムイオン二次電池システムの運転方法であって、
前記リチウムイオン二次電池の電圧を検出し、
出力モードの切替を行う際の判断基準をなす切替上限電圧を取得し、
前記リチウムイオン二次電池の電圧が切替上限電圧より低いか否かを判断し、
前記リチウムイオン二次電池の電圧が切替上限電圧より低い場合に、前記リチウムイオン二次電池から前記負荷に連続的に電力供給する連続放電モードから、前記リチウムイオン二次電池から前記負荷にパルス的に電力供給し、かつ、前記負荷に電力供給されていないパルス放電ローレベル期間のときに前記外部電源から前記リチウムイオン二次電池にパルス的に充電するパルス充放電モードに出力モード切替を行う、
ことを特徴とするリチウムイオン二次電池システムの運転方法。
（付記１０）
付記９に記載のリチウムイオン二次電池システムの運転方法であって、
前記運転方法は、さらに、
出力モードの切替を行う際の判断基準をなす切替下限電圧を取得し、
前記リチウムイオン二次電池の電圧が前記切替上限電圧より高い場合、及び、前記切替下限電圧より低い場合には、前記出力モードを前記連続放電モードに設定する
ことを特徴とするリチウムイオン二次電池システムの運転方法。
（付記１１）
付記９又は１０に記載のリチウムイオン二次電池システムの運転方法であって、
前記パルス充放電モードでは、前記パルス放電ローレベル期間の少なくとも１つの期間内で、前記外部電源から前記リチウムイオン二次電池に充電が行なわれる、
ことを特徴とするリチウムイオン二次電池システムの運転方法。
（付記１２）
付記９乃至１１のいずれか１項に記載のリチウムイオン二次電池システムの運転方法であって、
前記パルス放電ローレベル期間で行われる前記外部電源から前記リチウムイオン二次電池システムの運転方法への充電時間は、前記パルス放電ローレベル期間より短い、
ことを特徴とするリチウムイオン二次電池システムの運転方法。
（付記１３）
付記９乃至１２のいずれか１項に記載のリチウムイオン二次電池システムの運転方法であって、
前記パルス充放電モードにおける１サイクルにわたるパルス放電電流の平均値と前記連続放電モードにおける連続放電電流とが、同じ値になるように、前記平均値が設定されている、
ことを特徴とするリチウムイオン二次電池システムの運転方法。
（付記１４）
付記９乃至１３のいずれか１項に記載のリチウムイオン二次電池システムの運転方法であって、
前記切替上限電圧は、前記リチウムイオン二次電池から電力を取り出す際の最大の電圧である基準電圧の０．９０〜０．９８倍の値に設定されている、
ことを特徴とするリチウムイオン二次電池システムの運転方法。
（付記１５）
付記９乃至１３のいずれか１項に記載のリチウムイオン二次電池システムの運転方法であって、
放電容量に対する前記リチウムイオン二次電池の電圧の変化率ｍが、−０．１≦ｍ≦−０．０２の範囲になるときの前記リチウムイオン二次電池の電圧を前記切替上限電圧に設定した、
ことを特徴とするリチウムイオン二次電池システムの運転方法。
（付記１６）
付記１０乃至１５のいずれか１項に記載のリチウムイオン二次電池システムの運転方法であって、
前記切替下限電圧は、前記リチウムイオン二次電池の放電終止電圧とパルス放電を行った際の降下電圧との和の値に設定した、
ことを特徴とするリチウムイオン二次電池システムの運転方法。
【符号の説明】
【００５０】
２    リチウムイオン二次電池システム
４    外部電源
６    負荷
１０    電池
１１    制御部
１２    電圧検出部
１３    電流検出部
【図１】
0006497385.tif 000002
【図２】
0006497385.tif 000003
【図３】
0006497385.tif 000004
【図４】
0006497385.tif 000005
【図５】
0006497385.tif 000006
【図６】
0006497385.tif 000007
【図７】
0006497385.tif 000008
【図８】
0006497385.tif 000009
【図９】
0006497385.tif 000010